(57)【要約】【課題】  論理的な構成情報と物理的な配線情報の関連付け方法は、一意性をとるために、その都度シール等に記載のタグ情報を目視で確認し、論理情報と関連づけを行う必要があった。タグ情報を目視で確認するため、パッチング作業に伴うヒューマンエラーが非常に多く発生し、情報管理の関連づけが困難で、また情報内容変更時もその都度、シールを張り替えるというコスト的、工数的な問題点があった。【解決手段】  本発明は、ケーブルラベルを従来からある紙やテープ製のラベルではなく、各種データ（接続元、接続先、ケーブル仕様、位置情報等）を入力したRFID  無線ICタグ１０を活用し、ケーブル１０２の両端に取り付ける。次に敷設後のケーブルテスタ１０３によるケーブル性能試験データや論理的なデータと、RFIDの無線ICタグの各種データを管理サーバ３０上のネットワーク管理ソフトでまとめ、連携・一元管理する。【選択図】      図１
2005234620.tif 000002
【特許請求の範囲】
【請求項１】
無線ＩＣタグを端部に接続したケーブルと、この無線ＩＣタグから読み出されたネットワークを構成するための物理的ケーブル構成データとネットワーク論理構成データとを記憶領域に登録して一元的に管理する管理サーバとを備えたことを特徴とするネットワーク施工管理のための活用システム。
【請求項２】
無線ＩＣタグを端部に接続したケーブルと、この無線ＩＣタグから読み出されたネットワークを構成する物理的ケーブル構成データとネットワーク論理構成データの一意性を関連づけて記憶領域に登録する管理サーバとを備えたことを特徴とするネットワーク施工管理のための活用システム。
【請求項３】
前記管理サーバは、さらに、ケーブルテスタを備え、このケーブルテスタで敷設された前記ケーブルを試験したケーブル試験データを前記記憶領域に登録することを特徴とする請求項１または２記載のネットワーク施工管理のための活用システム。
【請求項４】
前記ケーブル試験データには、ケーブル長、ワイヤーマップおよび挿入損失値を含むことを特徴とする請求項３記載のネットワーク施工管理のための活用システム。
【請求項５】
前記物理的ケーブル構成データには、前記ケーブルの接続元、接続先およびケーブル仕様のデータを含むことを特徴とする請求項１から４のいずれかに記載のネットワーク施工管理のための活用システム。
【請求項６】
前記ネットワーク論理構成データには、サーバ名、システム接続図および情報端末名を含むことを特徴とする請求項１から５のいずれかに記載のネットワーク施工管理システムのための活用システム。
【請求項７】
管理サーバが、ケーブルの端部に接続した無線ＩＣタグから読み出されたネットワークを構成するための物理的ケーブル構成データとネットワーク論理構成データとを記憶領域に登録して一元的に管理することを特徴とするネットワーク施工管理のための活用方法。
【請求項８】
管理サーバが、ケーブルの端部に接続した無線ＩＣタグから読み出されたネットワークを構成するための物理的ケーブル構成データとネットワーク論理構成データとの一意性を関連づけて記憶領域に登録することを特徴とするネットワーク施工管理のための活用方法。
【請求項９】
前記管理サーバが、さらに、ケーブルテスタで敷設された前記ケーブルを試験したケーブル試験データを前記記憶領域に登録することを特徴とする請求項７または８記載のネットワーク施工管理のための活用方法。
【請求項１０】
前記物理的ケーブル構成データには、前記ケーブルの接続元、接続先およびケーブル仕様のデータを含むことを特徴とする請求項７または８記載のネットワーク施工管理のための活用方法。
【請求項１１】
前記ネットワーク論理構成データには、サーバ名、システム接続図および情報端末名を含むことを特徴とする請求項７または８記載のネットワーク施工管理システムのための活用方法。
【請求項１２】
管理サーバに、ケーブルの端部に接続した無線ＩＣタグから読み出されたネットワークを構成するための物理的ケーブル構成データとネットワーク論理構成データとを記憶領域に登録して一元的に管理させる処理を行わせることを特徴とするプログラム。
【請求項１３】
管理サーバに、ケーブルの端部に接続した無線ＩＣタグから読み出されたネットワークを構成するための物理的ケーブル構成データとネットワーク論理構成データとの一意性を関連づけて記憶領域に登録させることを特徴とするプログラム。
【請求項１４】
前記管理サーバに、さらに、ケーブルテスタで敷設された前記ケーブルを試験したケーブル試験データを前記記憶領域に登録することを特徴とする請求項１２または１３記載のプログラム。
【発明の詳細な説明】
【技術分野】
【０００１】
本発明は、無線ICタグの他にケーブル結果情報やネットワーク設計情報と連携をとったネットワーク設計施工管理のための活用システムに関する。特にネットワークを構成するケーブルの敷設前に無線ＩＣタグを電線・ケーブル外面に取り付け、ケーブル敷設後のネットワーク設計施工管理のための活用システムに関する。
【背景技術】
【０００２】
従来、ＲＦＩＤ（Ｒａｄｉｏ  Ｆｒｅｑｕｅｎｃｙ  ＩＤｅｎｔｉｆｉｃａｔｉｏｎ
ｓｙｓｔｅｍ）等の無線タグやＩＣタグを使用することに関する先行技術は、例えば特開２００２−２４６９４７号公報（特許文献１）や特開２００３−２０３５２７号公報
（特許文献２）に記載されている。特開２００２−２４６９４７号公報（特許文献１）には、端末装置自体および端末装置のインターフェース自体の制御情報管理を行う技術，特に図４には，通信ケーブルの通信制御技術が示されている。また図７〜９には、各接続端末をローカルエリアネットワークに接続制御売るための活用例が示されている。特開２００３−２０３５２７号公報（特許文献２）には、製造時または出荷時にケーブルの中または外面に製造者、製造年月日、規格などの情報をＩＣタグに記録する方法が示されている。
【０００３】
【特許文献１】特開２００２−２４６９４７号公報
【特許文献２】特開２００３−２０３５２７号公報
【発明の開示】
【発明が解決しようとする課題】
【０００４】
従来、論理的な構成情報と物理的な配線情報の関連付け方法は、一意性をとるために、その都度シール等に記載のタグ情報を目視で確認し、論理情報と関連づけを行う必要があった。タグ情報を目視で確認するため、パッチング作業に伴うヒューマンエラーが非常に多く発生し、情報管理の関連づけが困難で、また情報内容変更時もその都度、シールを張り替えるというコスト的、工数的な問題点があった。
【課題を解決するための手段】
【０００５】
本発明のネットワーク施工管理のための第１の活用システムは、無線ＩＣタグを端部に接続したケーブルと、この無線ＩＣタグから読み出されたネットワークを構成するための物理的ケーブル構成データとネットワーク論理構成データとを記憶領域に登録して一元的に管理する管理サーバとを備えたことを特徴とする。
【０００６】
ネットワーク施工管理のための第２の活用システムは、無線ＩＣタグを端部に接続したケーブルと、この無線ＩＣタグから読み出されたネットワークを構成する物理的ケーブル構成データとネットワーク論理構成データの一意性を関連づけて記憶領域に登録する管理サーバとを備えたことを特徴とする。
【０００７】
ネットワーク施工管理のための第１または２の活用システムにおいて、前記管理サーバは、さらに、ケーブルテスタを備え、このケーブルテスタで敷設された前記ケーブルを試験したケーブル試験データを前記記憶領域に登録することを特徴とする。
【０００８】
ネットワーク施工管理のための第１または２の活用システムにおいて、前記ケーブル試験データにはケーブル長、ワイヤーマップおよび挿入損失値を含むことを特徴とする。
【０００９】
ネットワーク施工管理のための第１または２の活用システムにおいて、前記物理的ケーブル構成データには、前記ケーブルの接続元、接続先およびケーブル仕様のデータを含むことを特徴とする。
【００１０】
ネットワーク施工管理のための第１または２の活用システムにおいて、前記ネットワーク論理構成データには、サーバ名、システム接続図および情報端末名を含むことを特徴とする。
【００１１】
ネットワーク施工管理のための第１の活用方法は、管理サーバが、ケーブルの端部に接続した無線ＩＣタグから読み出されたネットワークを構成するための物理的ケーブル構成データとネットワーク論理構成データとを記憶領域に登録して一元的に管理することを特徴とする。
【００１２】
ネットワーク施工管理のための第２の活用方法は、管理サーバが、ケーブルの端部に接続した無線ＩＣタグから読み出されたネットワークを構成するための物理的ケーブル構成データとネットワーク論理構成データとの一意性を関連づけて記憶領域に登録することを特徴とする。
【００１３】
ネットワーク施工管理のための第１または２の活用方法において、前記管理サーバが、さらに、ケーブルテスタで敷設された前記ケーブルを試験したケーブル試験データを前記記憶領域に登録することを特徴とする。
【００１４】
ネットワーク施工管理のための第１または２の活用方法において、前記ネットワーク論理構成データには、サーバ名、システム接続図および情報端末名を含むことを特徴とする。
【００１５】
ネットワーク施工管理のための第１または２の活用方法において、前記物理的ケーブル構成データには、前記ケーブルの接続元、接続先およびケーブル仕様のデータを含むことを特徴とする。
【００１６】
ネットワーク施工管理のための第１のプログラムは、管理サーバに、ケーブルの端部に接続した無線ＩＣタグから読み出されたネットワークを構成するための物理的ケーブル構成データとネットワーク論理構成データとを記憶領域に登録して一元的に管理させる処理を行わせることを特徴とする。
【００１７】
ネットワーク施工管理のための第２のプログラムは、管理サーバに、ケーブルの端部に接続した無線ＩＣタグから読み出されたネットワークを構成するための物理的ケーブル構成データとネットワーク論理構成データとの一意性を関連づけて記憶領域に登録させることを特徴とする。
【００１８】
ネットワーク施工管理のための第１または２のプログラムにおいて、前記管理サーバに、さらに、ケーブルテスタで敷設された前記ケーブルを試験したケーブル試験データを前記記憶領域に登録することを特徴とする。
【発明の効果】
【００１９】
従来、必要とするケーブルを物理的に探し出す場合、ラベルを目視する以外不可能であったが、RFID無線ICタグ情報とネットワーク管理ソフトと連携を図ることにより、容易にかつ見誤ることなく、ケーブルを見分けられるようになる。具体的には論理的なネットワーク構成と、物理的なケーブル敷設の行き先、敷設情報、ケーブル仕様、性能情報を一意に関連づけられ、一元管理できるようになる。そのためネットワーク構成変更に伴うケーブルの移設増設時、撤去時には、物理的なケーブルに付いているRFID無線ICタグ情報に基づいて、正しいケーブルを選別できるため、誤識別、誤配線設計、誤配線工事を防止することができ、またケーブルテスタで測定した情報と実際の敷設ケーブル情報も同時に確認が出来る。また異常なケーブルをすばやく特定し、対処が可能となるため、トラブルシューティングに費やす時間も大幅に短縮することができる。その他、ネットワーク管理ソフトと連携を取りながらRFID無線ICタグをケーブルラベルとして活用することにより、ラベル情報内容の変更時には、困難なラベルの張り替え作業が、不要となる。またラベル表面の表示が読み取れなくなった場合や、ケーブルが配管の中や天井裏など、ラベルの確認が難しい場所に敷設された場合でも、ケーブル自体に触れず、無線経由で情報を読み書きが可能であるため、その効果は大きい。  その他、従来の紙やテープなどのラベルと比較して、多量の各種情報を  高速に読み取れたり、一度に複数の情報を読み込めるため、効率よく短期間に作業を行うことができる
【発明を実施するための最良の形態】
【００２０】
次に、本発明を実施するための最良の形態について図面を参照して詳細に説明する。
図１を参照すると，本発明の実施の形態の一つは，ネットワーク接続装置１０１を有する。この装置１０１に接続された各種ケーブル１０２の両端にRFID無線ICタグ１０とその情報を読み取るRFID読取/書込装置２０を有する。またケーブル１０２の両端に装置２０で読取られたRFID無線ICタグ情報を管理する管理サーバ３０を有する。管理サーバ３０の中にネッワーク管理ソフト４０が導入される。本発明の実施の形態の一つは，ケーブルテスタ１０３で収集された情報についても管理サーバ３０で一括管理する構成をとる。
RFID無線ICタグ１０には、接続元、接続先、ケーブル仕様および位置情報等の各種データを入出力できる機構がある。入出力動作は、RFID読取/書込装置２０が用いられ、無線経由で行われる。無線ICタグの特徴は、RFID読取/書込装置２０に直接接触せずに近づくだけで情報のデータを読み書きすることができるところにある。従って、この特徴により敷設ケーブルの情報を高速に読み取れたり、一度に複数の読込みもできるようになる。RFID読取/書込装置２０は、ハンディータイプや据え置きタイプなど様々な形状、仕様のものがある。RFID読取/書込装置２０は、RFID無線ICタグ１０の入出力を無線経由で行い、集めたその情報を、管理サーバ３０へ提供する。この他にもRFID読取/書込装置２０は、RFID無線ICタグ１０へ情報を書き込む機能を有する。管理サーバ３０は、ネッワーク管理ソフト４０がインストールされている物理的なサーバである。ネッワーク管理ソフト４０は、ネットワーク構成や機器情報等を論理的に管理して、RFID無線ICタグ１０の情報を一元管理するものであり、管理サーバ３０上で動作する。またケーブル敷設後にケーブルテスタ１０３で、ケーブル長、ワイヤーマップ、挿入損失値、および情報配線システム規格値の適合性等データが採取される。そのケーブルテスタ検査データは、ネッワーク管理ソフト４０にデータ登録され、一元管理される。ネットワーク接続装置１０１は、複数の情報端末などを束ねて、相互に通信を行うことを目的とした装置である。一般的にハブやスイッチングハブと呼ばれる装置ある。各種ケーブル１０２は、情報端末同士を接続するために屋内外で用いられるUTP／STPケーブル、屋内・屋外光ケーブル、CATVなどの各種情報通信ケーブルである。ケーブルテスタ１０３は、各種ケーブル１０２の仕様を検査するために用いられるテスタであり、その検査データを外部の管理サーバ３０へ提供できるものをいう。ケーブルテスタの検査項目は、ケーブル長、ワイヤーマップ、挿入損失値、および情報配線システム規格値の適合性等である。図２には、ネッワーク管理ソフト４０をインストールしてある管理サーバ３０の詳細が示されている。図３には、RFID読取/書込装置２０で無線ICタグ１０の書込みと読込みを行うことが示されている。図４は、本発明の実施の形態の一つにおいて、システム管理登録の動作を説明するために図である。図５は、システムの構成変更、増設および撤去作業を行うときの動作を説明するための図である。
【実施例】
【００２１】
次に、本発明を実施するための最良の形態の動作について図面を参照して詳細に説明する。
【００２２】
図１、図２、図３、図４および図５を参照すると、まず管理サーバ３０には、ネッワーク管理ソフト４０がインストールされる（ステップ４０１）。インストールされたネッワーク管理ソフト４０の中に、ネットワークの論理的な情報及び接続元、接続先、ケーブル仕様および位置情報等のRFID無線ICタグ情報が登録される（ステップ４０２）。次にケーブル敷設の前に、RFID読取/書込装置２０を用いてRFID無線ICタグ１０の記憶部に無線経由で、上記RFID無線ICタグ情報が書込まれる（ステップ４０３）。次にケーブル敷設前又は敷設後でもどちらでもかまわないが、敷設する各種ケーブル１０２の両端にRFIDの無線ICタグ１０が取りつけられる（ステップ４０４）。ケーブルテスタ１０３で、敷設されたケーブルの性能試験データが採取され（ステップ４０５）、RFID無線ICタグ１０の各種データが登録されているネットワーク管理ソフト４０にデータが登録される（ステップ４０６）。その上で、以下の情報のそれぞれが、ネットワーク管理ソフト４０で論理構成情報と物理的なケーブル構成情報の一意性を関連づけられデータとして登録される（ステップ４０７）。入力される情報には，集められた接続元、接続先、ケーブル仕様および位置情報等RFID無線ICタグ情報がある。また、ケーブル長、ワイヤーマップ、挿入損失値、および情報配線システム規格値の適合性等ケーブルテスタの検査データもある。その他サーバ名、PC名、システム接続図、およびパッチパネルのポートリンク情報等のネットワーク論理構成情報もある。ネットワーク構成変更に伴うケーブルの移設増設時、撤去時（図５参照）には、物理的なケーブルに付いているRFID無線ICタグ情報がRFID読取/書込装置２０で読み取られる（ステップ５０１）。その後、行き先情報、仕様情報、および位置情報が識別される。識別された情報に基づいて、正しいケーブルが選別され（ステップ５０２）、ケーブル変更、増設・撤去が行われる（ステップ５０３）。またRFID無線ICタグ情報の内容変更が必要と判断されるとき（ステップ５０４）には、ネットワーク管理ソフトで変更内容が確認された後、RFID読取/書込装置２０で書込作業が行われる（ステップ５０５）。
【図面の簡単な説明】
【００２３】
【図１】本発明の適用されるシステムの構成を示す図である。
【図２】管理サーバ３０にネットワーク管理ソフト４０がインストールされている状態を示す図である。
【図３】RFID読取/書込装置２０で無線ICタグ１０からの情報を読み書きする状態を説明する図である。
【図４】本発明のネットワーク管理ソフトへのデータの登録を説明するための図である。
【図５】本発明の対象となるネットワーク構成の変更、ケーブルの増設または撤去時の動作を説明するための図である。
【符号の説明】
【００２４】
１０    無線ICタグ
２０    RFID読取/書込装置
３０    管理サーバ
４０    ネットワーク管理ソフト
１０１  ネットワーク接続装置
１０２  各種ケーブル
１０３  ケーブルテスタ
【図１】
2005234620.tif 000003
【図２】
2005234620.tif 000004
【図３】
2005234620.tif 000005
【図４】
2005234620.tif 000006
【図５】
2005234620.tif 000007